(57)【要約】      （修正有）【課題】ボールのスピン量を増幅させることのできるゴルフクラブヘッドを提供する。【解決手段】アイアンゴルフクラブのシャフトに連結するヘッド本体のフェース面１２にソール部に沿って平行かつ等間隔のスコアライン１３を形成し、スコアライン１３の断面において、スコアライン凹部１３１がフェース面１２に対して１°〜３０°のθａの角度で下向きに傾斜して形成されている。パターゴルフクラブのシャフトに連結するヘッド本体のフェース面に、ソール部に沿って平行かつ等間隔のスコアライン１３を形成し、スコアライン１３の断面において、スコアライン凹部１３１がフェース面１２に対して１°〜３０°の角度で上向きに傾斜して形成されている。【選択図】図５
0003187426.tif 000002
【実用新案登録請求の範囲】
【請求項１】
アイアンゴルフクラブのシャフトに連結するヘッド本体のフェース面にソール部に沿って平行かつ等間隔のスコアラインを形成し、該スコアラインの断面において、スコアライン凹部がフェース面に対して１°〜３０°の角度で下向きに傾斜して形成されていることを特徴とするゴルフクラブヘッド。
【請求項２】
パターゴルフクラブのシャフトに連結するヘッド本体のフェース面に、ソール部に沿って平行かつ等間隔のスコアラインを形成し、該スコアラインの断面において、スコアライン凹部がフェース面に対して１°〜３０°の角度で上向きに傾斜して形成されていることを特徴とするゴルフクラブヘッド。
【考案の詳細な説明】
【技術分野】
【０００１】  本考案はゴルフクラブヘッドに関し、特にボールのスピン量を増幅させることのできるゴルフクラブヘッドに関する。
【背景技術】
【０００２】  ゴルフクラブヘッドのフェース面にはスコアラインと呼ばれる複数の溝が形成されており、特にウエッジ型のゴルフクラブヘッドの場合は、ボールのスピン量を増幅させるようにスコアラインの形状が形成されることが望ましいが、スコアラインの構造はＲ＆ＡやＵＳＧＡの規定によってある程度制限されている。
【考案の概要】
【考案が解決しようとする課題】
【０００３】  スコアラインの構造はＲ＆Ａ（Ｒｏｙａｌ  ａｎｄ  Ａｎｃｉｅｎｔ  Ｇｏｌｆ  Ｃｌｕｂ  ｏｆ  Ｓｔ  Ａｎｄｒｅｗｓ）やＵＳＧＡ（Ｕｎｉｔｅｄ  Ｓｔａｔｅｓ  Ｇｏｌｆ  Ａｓｓｏｃｉａｔｉｏｎ）の規定によってある程度制限されているが、ゴルファーの一般的な要望は、Ｒ＆ＡやＵＳＧＡの規制に制限されず、打ったボールに大きなスピンを付与することのできる打撃面を有するゴルフクラブヘッドである。【０００４】  従来、ゴルフクラブヘッドのフェース面に、ソール部に沿って略平行かつ等間隔にフェース溝が形成されているものが一般的なものあった。【０００５】  このようなフェース溝を改良したものとして種々のフェース溝の形状が考案されている。
【先行技術文献】
【特許文献】
【０００６】
【特許文献１】  特開２００４−１４１２７７号公報
【実用新案２】
公開実用新案  ６０−６１０６２号公報
【実用新案３】
公開実用新案  ５−４８９７１号公報
【０００７】  前記せる特開２００４−１４１２７７号公報では、スコアラインを形成した後では研磨加工を行わず、ブラスト加工のみを行うヘッドの製造方法を示している。
【０００８】  また、前記せる公開実用新案  ６０−６１０６２号公報では、ヘッド本体のソール側からトップ側に至る三角形の領域に直線で平行なフェースラインを設け、更にトウ側及びヒール側領域に傾斜するフェースラインを所定ピッチで形成したアイアンクラブヘッドが示されている。
【０００９】  また、前記せる公開実用新案  ５−４８９７１号公報では、円形又は楕円形のスコアリングを設けたものが示されている。
【００１０】  このようなゴルフクラブヘッドの場合、ゴルファーが試みる様々なショットに対して高いスピン効果を可能にするものではなかった。
【課題を解決するための手段】
本考案はショットされたゴルフボールにスピンを付与するために寄与するゴルフクラブヘッドであって、アイアンゴルフクラブのシャフトに連結するヘッド本体のフェース面にソール部に沿って平行かつ等間隔のスコアラインを形成し、該スコアラインの断面において、スコアライン凹部がフェース面に対して１°〜３０°の角度で下向きに傾斜して形成されていることを特徴とし、且つ、パターゴルフクラブのシャフトに連結するヘッド本体のフェース面に、ソール部に沿って平行かつ等間隔のスコアラインを形成し、該スコアラインの断面において、スコアライン凹部がフェース面に対して１°〜３０°の角度で上向きに傾斜して形成されていることを特徴とするゴルフクラブヘッドを提供する。
【考案の効果】
【００１１】  本考案のゴルフクラブヘッドによれば、ヘッドのフェースに形成するスコアラインのエッジを明確に形成し、スコアラインの構造を傾斜させることにより、静止したボールにクラブヘッドのフェースが接触する時に、スコアラインの鋭角部がボールに当たり多くのスピンを与えることができるので、ボールの無駄な転がりを抑え、適切なスピン速度によりターゲットにピンポイントでねらうことができ、スコアアップ効果をもたらすことができる。
【００１２】  また、一般のゴルファーがゴルフルールの管理機関であるＲ＆ＡやＵＳＧＡの規定に捉われずにスピン生成の改善やプレイ性の向上等のゴルフをプレイをして楽しむことができる。
【図面の簡単な説明】
【００１３】
【図１】本考案に係るゴルフクラブヘッドの正面図である。
【図２】図１のＡ−Ａ線断面図である。
【図３】打撃面の部分断面図である。
【図４】トウ側から見た打撃状態側面図である。
【図５】打撃面の部分断面図である。
【図６】トウ側から見た打撃状態側面図である。
【図７】打撃面の部分断面図である。
【図８】トウ側から見た打撃状態説明図である。
【考案を実施するための形態】
【００１４】  本考案のゴルフクラブヘッドによれば、ヘッドのフェースに形成するスコアラインのエッジを明確に形成するために、スコアラインの構造を傾斜させて形成することを基本とする者である、
【実施例１】
【００１５】  本考案をアイアンゴルフクラブヘッドに応用した場合の実施例１について、図面に基づいて説明する。【００１６】  図１は本考案に係るゴルフクラブヘッドの正面図であり、図２は図１のＡ−Ａ線断面図である。【００１７】  図１及び図２に示すスコアラインの構造はＲ＆ＡやＵＳＧＡの規定によってある程度制限されている標準的なものであって、図３はフェース面の部分断面図であり、図４はトウ側から見た打撃状態側面図である。【００１８】  この場合、スコアラインの断面の凹部とフェース面との角度は図３に示すようにほぼ９０度である。【００１９】  図４における打撃状態側面図では、ゴルファーの技能に左右されない標準的な打撃状態とすれば、矢印１４の方向で飛び出すボール３０には矢印３１のスピンが付与される。【００２０】  図５及び図６は本考案に適応する図であって、図５はフェース面の部分断面図であり、図６はトウ側から見た打撃状態側面図である。【００２１】  アイアンゴルフクラブのシャフト１１に連結するヘッド本体１０のフェース面１２にソール部１２１に沿って平行かつ等間隔のスコアライン１３を形成し、該スコアライン１３の断面において、図５に示すようにスコアライン凹部１３１がフェース面１２に対して１°〜３０°のθａの角度で下向きに傾斜して形成されている。【００２２】  したがって、図６に示すように、フェース面１２がボール３０に対して矢印１５の方向にインパクトを与えると、ボール３０は矢印３２の方向に強烈なスピンがかかって飛び出すことになる。
【実施例２】
【００２３】  また、図７及び図８は本考案を適応するパターゴルフクラブの実施例図であって、図７はフェース面の部分断面図であり、図８はトウ側から見た打撃状態説明図である。【００２４】  パターゴルフクラブのシャフトに連結するパターヘッド本体２０のフェース面１２に、ソール部に沿って平行かつ等間隔のスコアライン１３を形成し、該スコアライン１３の断面において、スコアライン凹部１３１がフェース面に対して１°〜３０°のθｂ角度で上向きに傾斜して形成されている。【００２５】  図８に示すように、フェース面１２がボール３０に対して矢印１６の方向にインパクトを与えると、ボール３０は矢印３３の方向にスピンがかかってグリーンをころがる。【００２６】  ゴルファーが上記のスピンの回転速度を把握していれば、ボールはグリーン上を転がり易いので、プレイを楽しむことができる。
【符号の説明】
【００２７】  １０  ヘッド本体
１１  シャフト
１２  フェース面
１２１  ソール部
１３  スコアライン
１３１  すこあらいん凹部
１４  打撃方向
１５  打撃方向
１６  打撃方向
２０  パターヘッド本体
３０  ゴルフボール
３１  スピン方向
３２  スピン方向
３３  スピン方向
【図１】
0003187426.tif 000003
【図２】
0003187426.tif 000004
【図３】
0003187426.tif 000005
【図４】
0003187426.tif 000006
【図５】
0003187426.tif 000007
【図６】
0003187426.tif 000008
【図７】
0003187426.tif 000009
【図８】
0003187426.tif 000010